(57)【要約】    【課題】      携帯本体の液晶パネルとテレビジョン装置のテレビ画面といった異なる表示デバイスに表示内容の異なる画像又は画質の異なる画像を個別に映し出すこと。    【解決手段】  ＬＣＤパネル１４に表示させる画像データを記憶する液晶表示部専用メモリ１１とＬＣＤパネル１４とは表示サイズの異なるテレビ画面２３に表示させる画像データを記憶するテレビ表示ＬＳＩ専用メモリ１５とを同時に具備する。ＬＣＤパネル１４にのみ表示する画像データを液晶表示部専用メモリ１１へ書き込む場合、テレビ表示ＬＳＩ専用メモリ１５側をマスクしてから共用データバス５上に画像データを送出し、一方、前記テレビ画面２３にのみ表示する画像データをテレビ表示ＬＳＩ専用メモリ１５へ書き込む場合、液晶表示部専用メモリ１１をマスクしてから共用データバス５上に画像データを送出する。  【選択図】      図１
2005321718.tif 000002
【特許請求の範囲】
【請求項１】
装置本体の液晶パネルに表示させる画像データを記憶する液晶表示部用メモリと、装置本体に接続したテレビジョン装置であって前記液晶パネルとは表示サイズの異なるテレビ画面に表示させる画像データを記憶するテレビ表示用メモリと、前記液晶表示部用メモリ及び前記テレビ表示用メモリに対して個別に表示内容の異なる画像又は画質の異なる画像を書き込むＣＰＵと、前記ＣＰＵから前記液晶表示部用メモリ及び前記テレビ表示用メモリに画像データを転送する共用データバスとを具備した携帯用通信装置。
【請求項２】
前記液晶パネルにのみ表示する画像データを前記液晶表示部用メモリへ書き込む場合、前記テレビ表示用メモリ側をマスクしてから共用データバス上に画像データを送出し、一方、前記テレビ画面にのみ表示する画像データを前記テレビ表示用メモリへ書き込む場合、前記液晶表示部用メモリ側をマスクしてから共用データバス上に画像データを送出することを特徴とする請求項１記載の携帯用通信装置。
【請求項３】
前記テレビ表示用メモリを行アドレスと列アドレスとを別々に指定してアクセスするＳＤＲＡＭで構成し、前記ＣＰＵからの画像データの書き込みは、同じ行アドレスにバースト長だけ画像データを連続して書き込み、次回のバースト長での書き込みでは行アドレスをインクリメントし、読み込み元の画像データが次の列に移行するまで新たにバースト長での書き込みを行う度に行アドレスをインクリメントすることを特徴とする請求項１又は請求項２に記載の携帯用通信装置。
【発明の詳細な説明】
【技術分野】
【０００１】
本発明は、携帯本体の液晶パネル及びテレビジョン装置のテレビ画面の双方に画像を表示可能な携帯用通信装置に関する。
【背景技術】
【０００２】
従来、携帯電話機の液晶表示部にメニュー画面、受信画像、撮影画像等を表示するものが知られている。最近では、液晶表示部に表示する画面と同じ画面を、テレビ画面のような大きな画面に拡大表示する要望がある。例えば、カメラ付き携帯電話機で撮影した画像をビデオ信号（ＮＴＳＣ信号）に変換してテレビジョン装置の大きなテレビ画面で表示する等の用途が考えられる。
【０００３】
なお、カメラ付き携帯電話機で撮影した撮影画像を、当該カメラ付き携帯電話機から外部へ出力する出力端子を備えたものがある（例えば特許文献１参照）。
【０００４】
携帯電話機において、テレビジョン装置に対しビデオ出力するためには、画像データをビデオ信号（ＮＴＳＣ信号）に変換するＮＴＳＣ変換部を実装したテレビ表示ＬＳＩを備えることとなる。この場合、主に画像出力に係る制御を専用にするＣＰＵ（以下、「アプリＣＰＵ」という）を液晶表示部並びにテレビ表示ＬＳＩに対して共通のバスインターフェースで接続する。
【特許文献１】特開２０００−２７８６５９号公報
【発明の開示】
【発明が解決しようとする課題】
【０００５】
しかしながら、液晶表示部およびテレビ表示ＬＳＩがバスインターフェースを共有したのでは、表示デバイスのどちらか一方を使用している時には他方は表示できないか、もしくは同じ画面を表示することしかできない。このため、携帯本体の液晶パネルとテレビジョン装置のテレビ画面とに異なる画像を個別に表示したり、画質の異なる画像を表示したりすることができなかった。
【０００６】
本発明はかかる点に鑑みてなされたものであり、携帯本体の液晶パネルとテレビジョン装置のテレビ画面といった異なる表示デバイスに表示内容の異なる画像又は画質の異なる画像を個別に映し出すことができる携帯用通信装置を提供することを目的とする。
【課題を解決するための手段】
【０００７】
本発明は、装置本体の液晶パネルに表示させる画像データを記憶する液晶表示部用メモリと、装置本体に接続したテレビジョン装置であって前記液晶パネルとは表示サイズの異なるテレビ画面に表示させる画像データを記憶するテレビ表示用メモリとを同時に具備し、テレビ表示用メモリと液晶表示部用メモリに別々の出力画像を書き込み可能に構成することで、液晶表示部とテレビ画面の両方に違う画像もしくは画質の違う画像を出力することを可能にした。
【０００８】
なお、液晶パネルにのみ表示する画像データを前記液晶表示部用メモリへ書き込む場合、前記テレビ表示用メモリ側をマスクしてから共用データバス上に画像データを送出し、一方、前記テレビ画面にのみ表示する画像データを前記テレビ表示用メモリへ書き込む場合、前記液晶表示部用メモリ側をマスクしてから共用データバス上に画像データを送出することが望ましい。
【０００９】
この構成によれば、携帯電話の表示画面を液晶表示部とテレビ画面の両方に違う画像、もしくは画質の違う画像を出力することが可能となる。
【００１０】
また、前記テレビ表示用メモリを行アドレスと列アドレスとを別々に指定してアクセスするＳＤＲＡＭで構成した場合、前記ＣＰＵからの画像データの書き込みは、同じ行アドレスにバースト長だけ画像データを連続して書き込み、次回のバースト長での書き込みでは行アドレスをインクリメントし、読み込み元の画像データが次の列に移行するまで新たにバースト長での書き込みを行う度に行アドレスをインクリメントすることが望ましい。
【００１１】
この構成によれば、画像データをテレビ画面に出力する際、ＳＤＲＡＭに高速に読み書きすることができ、テレビ表示用メモリの帯域を有効に活用でき、システム全体の消費電力を小さくすることが可能となる。
【発明の効果】
【００１２】
本発明によれば、携帯本体の液晶パネルとテレビジョン装置のテレビ画面といった異なる表示デバイスに表示内容の異なる画像又は画質の異なる画像を個別に映し出すことができ携帯用通信装置を提供できる。
【発明を実施するための最良の形態】
【００１３】
以下、本発明の一実施の形態について図面を参照して具体的に説明する。
【００１４】
図１は本実施の形態に係る携帯電話機の機能ブロック図である。本携帯電話機は、表示デバイスに画像を表示するための処理を実行するアプリＣＰＵ１の他に、通信制御、ベースバンド処理等を行うコアＣＰＵ、ベースバンドＣＰＵを備えるものとする。
【００１５】
アプリＣＰＵ１が表示デバイスに表示する画像データはメモリ２に格納している。メモリ２は、本携帯電話機に付属のカメラで撮影した画像データの書き込み先となる内蔵メモリ、又は本携帯電話機の有するカードスロットに装着したメモリカード自体である。アプリＣＰＵ１と液晶表示部３及びテレビ表示ＬＳＩ４は共通の液晶バスインターフェースとなる共用データバス５で接続している。また、アプリＣＰＵ１と液晶表示部３とは専用の制御バス６で接続し、アプリＣＰＵ１とテレビ表示ＬＳＩ４とは専用の制御バス７で接続している。すなわち、データバスは共用するが、その他のアドレスバス及び制御信号は個別に供給可能に構成している。
【００１６】
アプリＣＰＵ１に備えた液晶バスコントローラ（ＬＣＤＣ）８が、共用データバス５へ送出するデータ、並びに制御バス６，７へ送出するアドレス及び制御信号を制御している。液晶表示部３及びテレビ表示ＬＳＩ４に対する後述するマスク処理及び表示デバイスに適合させるバス設定も液晶バスコントローラ８が行う。
【００１７】
液晶表示部３は、専用のメモリ（以下、「液晶表示部専用メモリ」という）１１を備えている。液晶表示部専用メモリ１１への画像データの書き込みはメモリコントローラ１２が行う。液晶表示部専用メモリ１１に書き込んだ画像データはＬＣＤドライバ１３が読み出してＬＣＤパネル１４へ表示する。すなわち、アプリＣＰＵ１から液晶表示部専用メモリ１１へ画像データを書き込むことにより、その画像がＬＣＤパネル１４に表示されるように構成されている。
【００１８】
テレビ表示ＬＳＩ４は、共用データバス５に送出した画像データをテレビジョン装置に表示するための処理を行う回路を作り込んだＬＳＩである。テレビ表示ＬＳＩ４にはテレビ表示ＬＳＩ専用メモリ１５を備えている。テレビ表示ＬＳＩ専用メモリ１５への画像データの書き込み及び読み出しはメモリコントローラ１６が行う。テレビ表示ＬＳＩ専用メモリ１５に書き込まれた画像データを再び読み出してビデオ信号に変換する。テレビ表示ＬＳＩ専用メモリ１５から読み出した画像データをビデオ信号に変換するのはＮＴＳＣ変換回路１７が行う。
【００１９】
図２は本実施の形態に係る携帯電話機にテレビジョン装置を接続した状態を示している。本実施の形態に係る携帯電話機１０のビデオ出力端子１８に一端を接続したＡＶケーブル２１の他端をテレビジョン装置２０のビデオ入力端子２２に接続している。携帯電話機１０のビデオ出力端子１８にはＮＴＳＣ変換回路１７から出力するビデオ信号を供給する。テレビジョン装置２０は、ビデオ入力端子２２から入力するビデオ信号に基づいてテレビ画面２３に画像を表示する。すなわち、アプリＣＰＵ１からテレビ表示ＬＳＩ専用メモリ１５へ画像データを書き込むことにより、その画像がテレビ画面２３に表示されるように構成されている。
【００２０】
次に、以上のように構成された本携帯電話機における表示デバイスへの画像表示に係る動作について説明する。
【００２１】
図３は液晶表示部３及びテレビ表示ＬＳＩ４への画像データの書き込み動作の概略を示すフロー図である。先ず、ＬＣＤパネル１４に表示すべき画像データを共用データバス５に出力する場合について説明する。すなわち、液晶表示部３の液晶表示部専用メモリ１１に対して画像データの書き込みを行う場合、もう一つの表示デバイスであるテレビ表示ＬＳＩ４のテレビ表示ＬＳＩ専用メモリ１５をマスクして、テレビ表示ＬＳＩ専用メモリ１５に画像データが書き込まれないようにする（Ｓ１）。アプリＣＰＵ１がテレビ表示ＬＳＩ４を画像データの書き込みができない状態に制御する。制御バス７を介して書き込み禁止の制御信号をテレビ表示ＬＳＩ４のメモリコントローラ１６に与えることにより、テレビ表示ＬＳＩ専用メモリ１５への書き込みが禁止される。
【００２２】
次に、液晶表示部３のＬＣＤパネル１４への画像表示に適したデータ書き込みが行われるようにデータバス５及び制御バス６の設定を行う。本例では、液晶表示部３のＬＣＤパネル１４はＱＶＧＡサイズの画面であり、テレビ画面はＶＧＡサイズの画面である。ＱＶＧＡサイズはＶＧＡサイズよりも小さい。したがって、液晶表示部３とテレビ表示ＬＳＩ４とでは画像データを構成する表示データ（フレーム画像）及び制御信号（水平同期信号、垂直同期信号）が異なる。液晶バスコントローラ８は、ＱＶＧＡサイズのフレーム画像を形成する制御信号（水平同期信号、垂直同期信号）を生成するようにバス設定を行う（Ｓ２）。
【００２３】
次に、前回のテレビ表示ＬＳＩ専用メモリ１５への書き込み時のバス設定により液晶表示部３の液晶表示部専用メモリ１１がマスクされていれば、そのマスクを解除し（Ｓ３）、液晶表示部３のＬＣＤパネル１４へ表示する画像データの転送を行う（Ｓ４）。すなわち、アプリＣＰＵ１から共通データバス５に画像データが送出すると共に、制御バス６に水平同期信号及び垂直同期信号を送出する。この結果、液晶表示部３のメモリコントローラ１２が水平同期信号及び垂直同期信号に基づいてＱＶＧＡサイズのフレーム画像を液晶表示部専用メモリ１１に書き込む。液晶表示部専用メモリ１１に書き込まれたフレーム画像はＬＣＤドライバ１３により読み出されてＬＣＤパネル１４に表示する。
【００２４】
このようにして、アプリＣＰＵ１がＬＣＤパネル１４に表示しようとした画像が、ＬＣＤパネル１４だけに表示され、当該画像データの書き込みを禁止したテレビ表示ＬＳＩ専用メモリ１５には書き込まれないので、テレビ画面２３には先にテレビ表示ＬＳＩ専用メモリ１５に書き込まれている画像データが表示されることになる。
【００２５】
次に、テレビ画面２３に表示すべき画像データを共用データバス５に出力する場合について説明する。すなわち、テレビ表示ＬＳＩ４のテレビ表示ＬＳＩ専用メモリ１５に対して画像データの書き込みを行う場合、もう一つの表示デバイスである液晶表示部３の液晶表示部専用メモリ１１をマスクして、液晶表示部専用メモリ１１に画像データが書き込まれないようにする（Ｓ５）。液晶表示部専用メモリ１１のマスクは制御バス６を介して書き込み禁止の制御信号を液晶表示部３のメモリコントローラ１２に与えることにより、液晶表示部専用メモリ１１への書き込みが禁止される。
【００２６】
次に、テレビジョン装置２０のテレビ画面２３への画像表示に適したデータ書き込みが行われるようにデータバス５及び制御バス７の設定を行う（Ｓ６）。液晶バスコントローラ８が、ＶＧＡサイズのフレーム画像を形成する制御信号（水平同期信号、垂直同期信号）を生成するようにバス設定を行う。
【００２７】
次に、前回の液晶表示部専用メモリ１１への書き込み時のバス設定によりテレビ表示ＬＳＩ４のテレビ表示ＬＳＩ専用メモリ１５がマスクされていれば、そのマスクを解除し（Ｓ７）、テレビジョン装置２０のテレビ画面２３へ表示する画像データの転送を行う（Ｓ８）。すなわち、アプリＣＰＵ１から共通データバス５に画像データが送出すると共に、制御バス７に水平同期信号及び垂直同期信号を送出する。この結果、テレビ表示ＬＳＩ４のメモリコントローラ１６が水平同期信号及び垂直同期信号に基づいてＶＧＡサイズのフレーム画像をテレビ表示ＬＳＩ専用メモリ１５に書き込む。テレビ表示ＬＳＩ専用メモリ１５に書き込まれたフレーム画像はメモリコントローラ１６により読み出されてＮＴＳＣ変換回路１７へ供給される。ＮＴＳＣ変換回路１７が画像データをビデオ信号に変換してＡＶケーブル２１を介してテレビジョン装置２０へ入力される。この結果、テレビジョン装置２０のテレビ画面２３にはアプリＣＰＵ１がテレビ表示ＬＳＩ専用メモリ１５に書き込んだ画像データが表示される。
【００２８】
このようにして、アプリＣＰＵ１がテレビ画面２３に表示しようとした画像が、テレビ画面２３だけに表示され、当該画像データの書き込みを禁止した液晶表示部専用メモリ１１には書き込まれないので、ＬＣＤパネル１４には先に液晶表示部専用メモリ１１に書き込まれている画像データが表示されることになる。
【００２９】
以上のように本実施の形態によれば、液晶表示部３及びテレビ表示ＬＳＩ４のそれぞれに専用メモリ（１１，１５）を備えたので、液晶表示部３とテレビ表示ＬＳＩ４とでデータバスを共用する場合であっても、液晶表示部３のＬＣＤパネル１４とテレビジョン装置２０のテレビ画面２３とに表示内容の異なる画像を表示することができる。また、アプリＣＰＵ１が画質の異なる画像データを液晶表示部専用メモリ１１とテレビ表示ＬＳＩ専用メモリ１５とに別々に書き込むことができるので、そのような場合にはＬＣＤパネル１４とテレビ画面２３とで画質の異なる画像を表示することができる。
【００３０】
ところで、上述したようにアプリＣＰＵ１が液晶表示部３とテレビ表示ＬＳＩ４に対して異なる画像を出力することとなると、アプリＣＰＵ１の負荷が大きくなる。そこで、アプリＣＰＵ１の負荷を軽減すると共にシステム全体での消費電力を少なくすることが望まれる。
【００３１】
本実施の形態は、テレビ表示ＬＳＩ４のテレビ表示ＬＳＩ専用メモリ１５への画像データの書き込み方式を工夫することにより、アプリＣＰＵ１の負荷並びに消費電力の軽減を図る。
【００３２】
本実施の形態では、テレビ表示ＬＳＩ専用メモリ１５として、行アドレス及び列アドレスを指定することによりデータ転送可能なメモリ装置を用いる。具体的は、ＳＤＲＡＭを用いるものとするが、ＳＤＲＡＭに限定されるものではない。ＳＤＲＡＭに対するアクセスは行アドレス及び列アドレスを指定するため、単一アドレスの指定だけでアクセス可能なＳＲＡＭ等に比べてＣＰＵの負荷が大きくなる。
【００３３】
図４に携帯画面のスキャン方向と液晶表示部専用メモリ１１から読み出す画像データの転送順との関係を示している。携帯画面は１行が２４０画素で１列が３２０画素で構成されている。携帯画面上の第１行となる（１，１）から（２４０，１）を液晶表示部専用メモリ１１の第１行に格納している。第２行以降も同様に、携帯画面上の第ｎ行に対応する（１，ｎ）から（２４０，ｎ）を液晶表示部専用メモリ１１の第ｎ行に格納している。したがって、液晶表示部専用メモリ１１の第１行から順番に画像データを転送すれば、携帯画面のスキャン順序と一致するので、図４に示すスキャン方向に沿って描画されていく。
【００３４】
ところが、図５に示すように、携帯電話機の表示画面である携帯画面のスキャン方向とテレビジョン装置の表示画面であるＴＶ画面のスキャン方向とは相違している。表示画像の上下左右を基準にして走査方向を説明すると、携帯画面では主走査方向が下から上方向、副走査方向が左から右方向となる。これに対してＴＶ画面では主走査方向が左から右方向、副走査方向が上から下方向となる。
【００３５】
このため、テレビ表示ＬＳＩ専用メモリ１５に対して、液晶表示部専用メモリ１１に対する書き込み方式と同一方式で画像データを書き込んだのでは、図５に示すテレビ画面のような順番で描画することができない。
【００３６】
そこで、本実施の形態は、図６に示すような書き込み方式を採用している。図６ではバースト長８でアクセスする場合を例示している。メモリ２の第１列の先頭アドレスから行方向（上方向）に連続して（１，１）から（８，１）の画素データをバースト長８にて読み出し、当該８バースト分の画素データをＳＤＲＡＭ（テレビ表示ＬＳＩ専用メモリ１５）の第１行にアクセスして先頭アドレスから列方向（右方向）に連続して書き込む。次に、メモリ２の同一行より（９，１）から（１６，１）の画素データをバースト長８にて読み出し、当該８バースト分の画素データをＳＤＲＡＭの第２行にアクセスして第２行の先頭アドレスから列方向に連続して書き込む。以下同様にして、メモリ２における第１列が全て転送されるまで、８バースト分読んでは行アドレスをインクリメントしてＳＤＲＡＭの各行に書き込む処理を繰り返す。
【００３７】
次に、メモリ２の第２列の先頭（最下位）から行方向に連続して（１，２）から（８，２）の画素データをバースト長８にて読み出す。ＳＤＲＡＭの第１行にアクセスし、当該８バースト分の画素データを先に画素データが書き込まれている列方向で最初の空きアドレスとなる（８，１）を開始アドレスにして列行方向に連続して書き込む。以下同様にして、メモリ２の第２列から８バースト転送しては、ＳＤＲＡＭの行アドレスをインクリメントして、当該行における最初の空きアドレスから列方向に連続して書き込む。メモリ２における第２列が全て転送されるまで、８バースト分読んでは行アドレスをインクリメントしてＳＤＲＡＭの各行に書き込む処理を繰り返す。
【００３８】
ＳＤＲＡＭに対してＴＶ画面の主走査方向のサイズ（６４０画素）まで書き込んだところで、各列データの書き込み開始アドレスとなる行の指定アドレスを変えて、既に書き込まれている画素データの下側に新たに列データ単位で書き込まれるようにする。
【００３９】
具体的には、ＴＶ画面の主走査方向の画素数（６４０）は６４０であるので、メモリ２における第３３列から第６５列については、第１列から第３２列までの画素データが書き込まれているアドレスブロックの直ぐ下から書き込みを行う。第３３列から第６５列のデータ転送では、各列データの先頭データに対する行アドレスは、３０行分（２４０／８）のオフセットを入れて、行アドレス＝３０＋１となる。
【００４０】
第１列から第３２列までの画素データが書き込まれているアドレスブロックの下に、第３３列から第６５列までの画素データの書き込みが終了したら、さらに第６６列から第９８列までの画素データを第３３列から第６５列までの画素データが書き込まれているアドレスブロックの直ぐ下の上記同様にして書き込む。最終的に、メモリ２における第３２０列目の画素データの書き込みが終了したところで、ＳＤＲＡＭへの書き込みが完了する。
【００４１】
次に、以上のような順番でＳＤＲＡＭ書き込まれた画素データをＴＶ画面のスキャン順序に従ったアドレスから１画素単位で読み出す。ここで、図４，５に示すように、ＴＶ画面の第１列は（２４０，１）（２４０，２）…（２４０，３２０）で構成される。ＳＤＲＡＭにおける第３０列に（２４０，１）（２４０，２）…（２４０，３２）が存在し、第２９列に（２４０，３３）（２４０，３４）…（２４０，３５）が存在し、同様に行アドレスをデクリメントする毎にＴＶ画面の第１列を構成する８画素が存在する。したがって、行アドレスを変えずに列アドレスを８回指定すれば連続する８画素を読み出すことができる。ＴＶ画面の第１列についてＳＤＲＡＭから読み出したら、第２列以降についても同様にしてＳＤＲＡＭから読み出す。
【００４２】
このように、ＳＤＲＡＭへの書き込み方式を工夫したので、書き込み時には１回行アドレスを指定したらバースト長に対応した画素データを連続して書き込むことができ、読み出し時には行アドレスを変更せずに連続した画素データを取り出せるので、書き込み及び読み出しトータルのアクセス回数を削減することができる。その結果、ＳＤＲＡＭへのアクセス要求を発行するアプリＣＰＵ１の負荷を軽減でき、システム全体の消費電力を軽減できる効果もある。
【００４３】
なお、以上の説明では携帯用通信装置の一例として携帯電話機を説明したが、本発明は携帯電話機以外であっても液晶表示部を有する携帯用通信装置であれば適用可能である。また、液晶表示部３には専用メモリ１１を備え、テレビ表示ＬＳＩ４には専用メモリ１５を備えたが、例えば液晶表示部専用メモリ１１はＬＣＤパネル１４に表示する画像以外は一切記憶してはいけないという意味ではなくＬＣＤパネル１４に表示する他の表示デバイス等に出力することは可能である。同様の意味でテレビ表示専用メモリ１５に記憶した画像をテレビ画面以外に表示させることは可能である。
【産業上の利用可能性】
【００４４】
本発明は、携帯本体の液晶パネルとテレビジョン装置のテレビ画面といった異なる表示デバイスに表示内容の異なる画像又は画質の異なる画像を個別に映し出すことができ、携帯用通信装置に適用可能である。
【図面の簡単な説明】
【００４５】
【図１】実施の形態に係る携帯電話機の構成図
【図２】上記実施の形態に係る携帯電話機にテレビジョン装置を接続した状態を示す図
【図３】上記実施の形態に係る携帯電話機の動作説明図
【図４】携帯画面と画像データの転送順との関係を示す図
【図５】携帯画面とテレビ画面のスキャン方向の違いを示す図
【図６】上記実施の形態におけるＳＤＲＡＭへの画像データの書き込み順を示す概念図
【符号の説明】
【００４６】
１  アプリＣＰＵ
２  メモリ
３  液晶表示部
４  テレビ表示ＬＳＩ
５  共用データバス
６、７  制御バス
８  液晶バスコントローラ
１１  液晶表示部専用メモリ
１２  メモリコントローラ
１３  ＬＣＤドライバ
１４  ＬＣＤパネル
１５  テレビ表示ＬＳＩ専用メモリ
１６  メモリコントローラ
１７  ＮＴＳＣ変換回路
１８  ビデオ出力端子
２０  テレビジョン装置
２１  ＡＶケーブル
２２  ビデオ入力端子
２３  テレビ画面
【図１】
2005321718.tif 000003
【図２】
2005321718.tif 000004
【図３】
2005321718.tif 000005
【図４】
2005321718.tif 000006
【図５】
2005321718.tif 000007
【図６】
2005321718.tif 000008